(57)【特許請求の範囲】
【請求項１】
間隔をおいて対面配設されるとともに一方が揺動可能とされた一対の透明板と、
両前記透明板間に配設された、光を透過可能な流体と、
揺動可能な前記透明板を揺動させて両前記透明板のなす角度を変化させる可変機構とを備えた流体プリズムであって、
一対の前記透明板のうち他方の前記透明板により構成された底部と、該底部と一体に形成された筒状部とを有する容器を備え、該容器内に前記流体が収容されるとともに、該流体の表面に揺動可能な前記透明板が配設されており、
前記容器内に収容されるとともに、前記流体の表面に配設された揺動可能な前記透明板の該流体と反対側の面に配設された、該流体と屈折率が異なりかつ光を透過可能な第２流体を備え、
前記可変機構は、揺動可能な前記透明板に一体的に設けられた第１電極と、該第１電極に近接して設けられて該第１電極と対をなす少なくとも一つの第２電極と、該第１電極及び該第２電極間に電圧を印加する電圧印加手段とを備え、該第１電極及び該第２電極間に電圧が印加されることで発生する静電力が、揺動可能な該透明板を揺動させるための回転トルクとして該透明板に付与されることを特徴とする流体プリズム。
【請求項２】
前記第１電極及び前記第２電極は互いに噛み合う櫛形構造を有していることを特徴とする請求項１に記載の流体プリズム。
【請求項３】
前記容器は前記筒状部の開口を密封して内部に密閉空間を形成する透明蓋部を有していることを特徴とする請求項１又は２に記載の流体プリズム。
【発明の詳細な説明】
【技術分野】
【０００１】
本発明は、対面配設された一対の透明板の間に光を透過可能な流体が配設されてなる流体プリズムに関し、より詳しくは両透明板のなす角度が可変とされた流体プリズムに関する。
【背景技術】
【０００２】
カメラ等の光学機器に用いられるプリズムとして、対面配設された一対の透明板の間に透明液体が配設されてなり、両透明板のなす角度が可変とされた液体プリズムが知られている（例えば、特許文献１参照）。
【０００３】
この液体プリズムでは、一対の透明板が外周部において蛇腹状の透明フィルムで封止されるとともに、両透明板及び透明フィルムにより形成される密閉空間に屈折率の高い透明液体が充填されている。そして、両透明板はそれぞれ第１、第２保持枠に固定されており、第１保持枠は第１電磁モータにより第１支持軸回りに回動可能となされるとともに、第２保持枠は第２電磁モータにより第１支持軸と直交する第２支持軸回りに回動可能となされている。
【０００４】
こうして、この液体プリズムでは、第１電磁モータの駆動により第１支持軸回りに第１保持枠が回転することで、一方の透明板が第１保持枠と共に例えば上下方向に傾斜したり、あるいは第２電磁モータの駆動により第２支持軸回りに第２保持枠が回転することで、他方の透明板が第２保持枠と共に例えば左右方向に傾斜したりする。その結果、両透明板のなす角度が変化して、液体プリズムを透過する光線の屈折角が変化する。
【特許文献１】特開平６−３３７４５４号公報（第２−３頁）
【発明の開示】
【発明が解決しようとする課題】
【０００５】
ところで近年、自動車などにおいて、道路状況、外部環境や他車などの把握を目的として、車載カメラを搭載することがある。また、携帯電話などの携帯機器にもカメラが搭載されることが多くなっている。これら自動車や携帯機器においては、カメラの他にも種々の装置が組み込まれることからも、カメラ等の光学機器を含めて、組み込まれる装置の大きさは少しでも小さいことが望まれる。
【０００６】
しかしながら、上記従来の液体プリズムでは、透明板を保持する保持枠に回転トルクを付与するための電磁駆動力発生用の電磁モータを、透明板や保持枠とは全く別体として設けている。このため、液体プリズム全体の体格が大きくなってしまい、さらなる小型化が望まれる。また、電磁モータと保持枠とが全くの別体であると、電磁モータで発生した電磁力を保持枠回転用の回転トルクに変換する際に効率が低下したり、あるいは応答性が低下したりするという、問題もある。
【０００７】
本発明は上記実情に鑑み行われたものであり、小型で、しかも角度を変化させる際の効率及び応答性の高い流体プリズムを提供することを解決すべき技術課題とするものである。
【課題を解決するための手段】
【０００８】
上記課題を解決する本発明の流体プリズムは、間隔をおいて対面配設されるとともに一方が揺動可能とされた一対の透明板と、両前記透明板間に配設された、光を透過可能な流体と、揺動可能な前記透明板を揺動させて両前記透明板のなす角度を変化させる可変機構とを備えた流体プリズムであって、一対の前記透明板のうち他方の前記透明板により構成された底部と、該底部と一体に形成された筒状部とを有する容器を備え、該容器内に前記流体が収容されるとともに、該流体の表面に揺動可能な前記透明板が配設されており、前記容器内に収容されるとともに、前記流体の表面に配設された揺動可能な前記透明板の該流体と反対側の面に配設された、該流体と屈折率が異なりかつ光を透過可能な第２流体を備え、前記可変機構は、揺動可能な前記透明板に一体的に設けられた第１電極と、該第１電極に近接して設けられて該第１電極と対をなす少なくとも一つの第２電極と、該第１電極及び該第２電極間に電圧を印加する電圧印加手段とを備え、該第１電極及び該第２電極間に電圧が印加されることで発生する静電力が、揺動可能な該透明板を揺動させるための回転トルクとして該透明板に付与されることを特徴とするものである。
【０００９】
ここに、前記透明板は、光を透過可能な光透過部を少なくとも一部に有するものである。
【００１０】
また、前記流体は、両前記透明板の外部雰囲気と屈折率が異なるものである。
【００１１】
この流体プリズムでは、第１電極及びこれと対をなす第２電極間に電圧印加手段から電圧が印加されることで静電力が発生し、この静電力が揺動可能な該透明板を揺動させるための回転トルクとして該透明板に付与される。このため、揺動可能な透明板が揺動し、両透明板のなす角度が変化する。このとき、両透明板間に配設された流体も透明板の揺動に追従する。このため、電圧印加手段からの印加電圧の大きさを制御することで、両透明板のなす角度を任意に変化させることができる。したがって、両透明板のなす角度の変化に応じて、外部雰囲気と屈折率が異なる流体を通過する光線束の屈折角を変化させることができ、任意の角度のプリズムとすることが可能となる。また、第１電極と対をなす第２電極の数を増やしたり、第１電極及び第２電極の配置を変更したりすれば、前記静電力の方向を変化させることができるので、透明板が揺動する方向を変化させて、この流体プリズムを通過する光線束が屈折する方向を変えることができる。
【００１２】
そして、この流体プリズムでは、第１電極と対をなす第２電極と共に静電アクチュエータを構成する第１電極が、揺動する透明板自体に一体的に設けられている。すなわち、可変機構の構成要素の一部が、揺動する透明板に一体的に設けられている。このため、可変機構の構成要素の全部を透明板と別体に設ける場合と比較して、流体プリズムの体格を小さくすることができる。また、静電アクチュエータとしての第１電極が一体的に設けられた透明板自体に回転トルクを加えることができるため、透明板の角度を変化させる際の効率及び応答性が良くなる。
【００１３】
本発明の流体プリズムの好適な態様において、前記第１電極及び前記第２電極は互いに噛み合う櫛形構造を有している。
【００１４】
本発明の流体プリズムは、一対の前記透明板のうち他方の前記透明板により構成された底部と、該底部と一体に形成された筒状部とを有する容器を備え、前記容器内に前記流体が収容されるとともに、該流体の表面に揺動可能な前記透明板が配設されている。
【００１５】
この流体プリズムでは、容器内に流体が収容されているので、流体が飛び散ったりすることを抑えることができる。また、この流体プリズムでは、前記流体として、外部雰囲気と屈折率の異なるとともに光を透過可能な気体を採用することができる。なお、流体として気体を採用する場合は、容器内に収容されその表面に揺動可能な透明板が配設される気体の密封性をフィルム等により確保する。
【００１６】
本発明の流体プリズムは、前記容器内に収容されるとともに、前記流体の表面に配設された揺動可能な前記透明板の該流体と反対側の面に配設された、該流体と屈折率が異なりかつ光を透過可能な第２流体を備えている。
【００１７】
この流体プリズムでは、互いに屈折率が異なり、かつ、外部雰囲気とも屈折率の異なる２種の流体の間に配設された透明板が揺動することで、両透明板のなす角度が変化することになる。このため、この流体プリズムを透過する光線束の屈折角を変化させる自由度が高まる。
【００１８】
本発明の流体プリズムの好適な態様において、前記容器は前記筒状部の開口を密封して内部に密閉空間を形成する透明蓋部を有している。
【００１９】
この流体プリズムでは、流体が収容された容器が透明蓋部で密封されているので、流体が飛散することを確実に防ぐことができる。容器の密閉空間内には、前記流体の他に、空気を充填してもよいが、前記第２流体を充填することもできる。特に、前記流体及び前記第２流体として液体を採用し、これらを容器の密閉空間内に充填した場合は、流体及び第２流体の間に配設された透明板の揺動を安定化させることができる。
【００２０】
本発明の流体プリズムにおける前記流体は液体でも気体でも、いずれでもよい。ただし、前記流体として気体を採用した場合は、両前記透明板の間に気体を密封するための密封手段を設ける必要があることに鑑みれば、前記流体としては、液体を採用することが望ましい。
【発明の効果】
【００２３】
本発明の流体プリズムは、両透明板のなす角度を変化させる可変機構の構成要素の一部たる静電アクチュエータとしての第１電極が、透明板自体に一体的に設けられているので、流体プリズムの体格を小さくすることができるとともに、可変機構における効率及び応答性が良くなる。
【００２４】
したがって、本発明の流体プリズムを例えばカメラなどの光学機器に適用した場合に、応答性良くパン・チルトを行うことができる。また、パン・チルトを高速に行うことができれば、手ぶれ補正などへの応用も期待できる。
【発明を実施するための最良の形態】
【００２５】
以下、本発明の流体プリズムの具体的な実施形態及び参考形態について、図面を参照しつつ説明する。
【００２６】
（参考形態１）
図１〜図３に示される本参考形態は、本発明の流体プリズムを、ズーム機構をもつ光学機器に適用したものである。この光学機器はパン・チルト機構を有する。
【００２７】
この光学機器は、図１に示すように、多焦点レンズ１、第１ミラー２、第２ミラー（第２ミラー反射面部）３、撮像素子４及び第２ミラー移動手段（図略）を備えたズーム機構と、流体プリズム（液体プリズム）７０とから構成されている。
【００２８】
多焦点レンズ１は、外周方向に向かうに従い多段階で焦点距離が長くなるように、焦点距離の異なるレンズ領域を同心状に組み合わせたものである。具体的には、多焦点レンズ１は焦点距離が異なる２つのレンズ領域１５及び１６からなり、レンズ領域１５の方がレンズ領域１６よりも焦点距離が短い。
【００２９】
第１及び第２ミラー２、３は不透明な通常のミラーである。第１ミラー２は、多焦点レンズ１の結像側であって多焦点レンズ１側に向いた第１ミラー反射面部を有している。第２ミラー３は、第１ミラー２及び多焦点レンズ１の間であって第１ミラー２の反射面側に向いた第２ミラー反射面部を有している。
【００３０】
撮像素子４は、多焦点レンズ１の各レンズ領域１５及び１６を通過したそれぞれの光線束のうちの１以上を遮蔽乃至は透過させることで結像する位置（結像面）に配設されており、具体的には第１ミラー２の中央部に位置する。
【００３１】
また、第２ミラー３は、多焦点レンズ１の光軸と平行であってレンズ領域１５を通過した光線束を遮蔽しない位置（図１(ａ)）と、多焦点レンズ１の光軸と垂直であってレンズ領域１５を通過した光線束を遮蔽するように挿入された位置（図１(ｂ)）との間で位置が切り替え可能である。第２ミラー移動手段は第２ミラー３を両者の位置の間で切り替える手段である。両者の間で切り替える方法としては第２ミラー３を強磁性体や強誘電体にて形成した上で磁場や電場を印加する方向を変化させることで行う手段や、静電力やローレンツ力を利用した手段が例示できる。
【００３２】
以下に焦点距離を切り替える方法を説明する。焦点距離を長くする場合には多焦点レンズ１のレンズ領域１６を透過した光線束を利用するために、第２ミラー移動手段により第２ミラー３を挿入した状態（図１（ｂ））にまで移動する。その結果、レンズ領域１５を透過した光線束は第２ミラー３により遮蔽されるので、レンズ領域１６を透過した光線束だけが第１ミラー２及び第２ミラー３を反射して結像面にある撮像素子４に結像する。反対に焦点距離を短くする場合にはレンズ領域１５を透過した光線束を利用するために、第２ミラー移動手段により第２ミラー３を抜いた状態（図１（ａ））にまで移動する。その結果、レンズ領域１５を透過した光線束は第２ミラー３により遮蔽されるのことなくそのまま結像面にある撮像素子４上に結像するのに対して、レンズ領域１６を透過した光線束だけは第２ミラー３がないので、レンズ領域１６から第１ミラー２を反射した後、そのまま多焦点レンズ１の物体側に向けてレンズ領域１５を透過する。
【００３３】
従って、レンズ領域１５を透過した光線束はそのまま、レンズ領域１６を透過した光線束は第１ミラー２及び第２ミラー３の間を焦点距離の相違を考慮した距離（１往復半）進ませることで、各レンズ領域１５、１６からの結像面が一致する。
【００３４】
そして、この光学機器では、前記多焦点レンズ１の前記結像側に対して反対側近傍に、光線束を屈曲できる流体プリズム７０が配設されている。なお、この流体プリズム７０は、前記結像面の前記多焦点レンズ１側近傍に配設することもできる。
【００３５】
流体プリズム７０は、図２及び図３に示されるように、底部としての第１透明板７１及び第１透明板７１と一体に形成された筒状部７２よりなる容器７３と、筒状部７２の開口を密封して内部に密閉空間７４を形成する透明蓋部７５とを備えている。なお、筒状部７２の形状は特に限定されず、円柱でも角柱でもよい。
【００３６】
第１透明板７１は、中央の大部分の領域に、光を透過可能な光透過部７１ａを有している。同様に、透明蓋部７５は、中央の大部分の領域に、光を透過可能な光透過部７５ａを有している。これら光透過部７１ａ及び７５ａは、ＭＥＭＳ製作により、シリコンをくり抜いた部分に透明樹脂を埋め込んで形成されている。
【００３７】
容器７３内の密閉空間７４の一部には光を透過可能な透明液体７６が収容され、この透明液体７６の表面に揺動板７７が配設されている。透明液体７６の種類は、外部雰囲気と屈折率が異なるものであれば特に限定されないが、屈折率がより大きいもの、例えばマッチングオイルを採用することが望ましい。
【００３８】
揺動板７７は、不純物をドープした導電性のシリコン板からＭＥＭＳにより製作したものである。揺動板７７は、該シリコン板の両端部以外の中央部を薄くして薄板部にするとともに、この薄板部の周縁部以外の中央領域をくり抜いた部分に透明樹脂を埋設して形成された矩形状の第２透明板７８と、この第２透明板７８の外周縁に一体に形成された、該薄板部の周縁部よりなる枠状の導電部７７ａと、導電部７７ａの両端にそれぞれ一体に形成された、該シリコン板の両端部よりなる一対の櫛歯型第１電極８１ａ、８１ｂとを有している。両櫛歯型第１電極８１ａ及び８１ｂは、枠状の導電部７７ａを介して、電気が流れるようになっている。この揺動板７７は、透明液体７６の上に浮かんでいる。
【００３９】
また、この液体プリズム７０は、櫛歯型第１電極８１ａ、８１ｂとそれぞれ対をなし、一方（図２の左側。以下、同様）の櫛歯型第１電極８１ａの上側に近接して配置されるとともに、他方（図２の右側。以下、同様）の第１電極８１ｂの下側に近接して配置された一対の櫛歯型第２電極８２ａ、８２ｂ（以下、上側の櫛歯型第２電極８２ａ、８２ｂと称する）と、同じく櫛歯型第１電極８１ａ、８１ｂとそれぞれ対をなし、前記一方の櫛歯型第１電極８１ａの下側に近接して配置されるとともに、前記他方の櫛歯型第１電極８１ｂの上側に近接して配置された一対の櫛歯型第２電極８３ａ、８３ｂ（以下、下側の櫛歯型第２電極８２ａ、８２ｂと称する）とを備えている。これら上側の櫛歯型第２電極８２ａ、８２ｂ及び下側の櫛歯型第２電極８３ａ、８３ｂは、容器７３の筒状部７２の内周面に配設、固定されている。
【００４０】
これら櫛歯型第１電極８１ａ、８１ｂと、上側の櫛歯型第２電極８２ａ、８２ｂ及び下側の櫛歯型第２電極８３ａ、８３ｂとは、互いに噛み合う櫛形構造を有している。
【００４１】
さらに、この液体プリズム７０は、櫛歯型第１電極８１ａ、８１ｂと、この櫛歯形第１電極８１ａ、８１ｂと対をなす上側の櫛歯型第２電極８２ａ、８２ｂとの間に電圧を印加する第１電圧印加手段（電源）８４と、同じく櫛歯型第１電極８１ａ、８１ｂと、この櫛歯型第１電極８１ａ、８１ｂと対をなす下側の櫛歯型第２電極８３ａ、８３ｂとの間に電圧を印加する第２電圧印加手段（電源）８５とを備えている。
【００４２】
なお、櫛歯型第１電極８１ａ、８１ｂ、上側の櫛歯型第２電極８２ａ、８２ｂ、下側の櫛歯型第２電極８３ａ、８３ｂ、第１電圧印加手段（電源）８４及び第２電圧印加手段（電源）８５により、可変機構８０が構成される。また、容器７３内の密閉空間７４の残部には、空気が充填されている。
【００４３】
また、第１電圧印加手段８４及び第２電圧印加手段８５から電圧を印加していない状態で、櫛歯型第１電極８１ａ、８１ｂと、上側の櫛歯型第２電極８２ａ、８２ｂ及び下側の櫛歯型第２電極８３ａ、８３ｂとの間には所定の隙間が形成されている（図２（ｂ）参照）。
【００４４】
この流体プリズム７０では、例えば、櫛歯型第１電極８１ａ、８１ｂと、この櫛歯形第１電極８１ａ、８１ｂと対をなす上側の櫛歯型第２電極８２ａ、８２ｂとの間に、第１電圧印加手段８４から電圧を印加することにより、前記一方の櫛歯型第１電極８１ａと上側の櫛歯型第２電極８２ａとの間、及び前記他方の櫛歯型第１電極８１ｂと上側の櫛歯型第２電極８２ｂとの間に静電力が発生し、この静電力が透明液体７６の表面に浮かんで揺動可能な揺動板７７を揺動させるための回転トルクとして該揺動板７７に付与される。その結果、前記一方の櫛歯型第１電極８１ａと上側の櫛歯型第２電極８２ａとの間、及び前記他方の櫛歯型第１電極８１ｂと上側の櫛歯型第２電極８２ｂとの間の隙間が狭まる方向に、揺動板７７が揺動する（図３参照）。このため、第２透明板７８が揺動し、第１透明板７１及び第２透明板７８のなす角度が変化する。このとき、第１透明板７１及び第２透明板７８間に配設された透明液体７６も揺動板７７の揺動に追従する。このため、第１電圧印加手段８４からの印加電圧の大きさを制御することで、第１透明板７１及び第２透明板７８のなす角度を任意に変化させることができる。したがって、第１透明板７１及び第２透明板７８のなす角度の変化に応じて、外部雰囲気と屈折率が異なる透明液体７６を通過する光線束の屈折角を変化させることができ（図３（ａ）のＢ矢印参照）、任意の角度のプリズムとすることが可能となる。
【００４５】
また、櫛歯型第１電極８１ａ、８１ｂと、この櫛歯形第１電極８１ａ、８１ｂと対をなす下側の櫛歯型第２電極８３ａ、８３ｂとの間に、第２電圧印加手段８５から電圧を印加すれば、第２透明板７８の揺動方向を逆向きにして、光線束を逆向きに屈折させることができる。
【００４６】
そして、この流体プリズム７０では、静電アクチュエータを構成する櫛歯形第１電極８１ａ、８１ｂが、揺動する第２透明板７８自体に一体的に設けられている。すなわち、可変機構の構成要素の一部が第２透明板７８に一体的に設けられている。このため、流体プリズム７０の体格を小さくすることができる。また、静電アクチュエータとしての櫛歯型第１電極８１ａ、８１ｂが一体的に設けられた第２透明板７８自体に回転トルクを加えることができるため、第２透明板７８の角度を変化させる際の効率及び応答性が良くなる。
【００４７】
また、この参考形態の光学機器によれば、流体プリズム７０により、パン・チルト機構を以下のように実現できる。第２透明板７８が多焦点レンズ１の入射光側（図１の上方）の面と平行である場合には入射光は特に曲がることなくそのまま多焦点レンズ１に入射する。第２透明板７８を揺動させると、透明液体７６が充填された領域がプリズムになり入射光が屈曲する。透明液体７６の屈折率は、第１及び第２透明板７１及び７８の外部雰囲気たる空気の屈折率よりも大きくしているので、図１（ｂ）のに示すように、入射光は第２透明板７８を揺動させた方向と反対の方向に曲がる。第２透明板７８の揺動の程度を制御することで入射光の屈曲の度合いを制御することができる。つまり、画角を変化させたい方向と反対に、第２透明板７８を揺動することで、望む方向に画角を変化できる。
【００４８】
この光学機器が備えるパン・チルト機構はズーム機構の長焦点側で特に有効である。すなわち、図１（ｂ）に示すように、多焦点レンズ１の長焦点側を利用する場合には画角が小さくなるので、流体プリズム７０によるパン・チルト機構が有用である。
【００４９】
（実施形態１）
図４に示す本実施形態は、流体プリズム７０の変形例を示すものであり、前記参考形態１の流体プリズム７０において、容器７３内の密閉空間７４の残部（透明液体７６の表面に配設された揺動板７７の透明液体７６と反対側の面）に、透明液体７６と屈折率が異なりかつ光を透過可能な第２透明液体７９を収容、配設したものである。
【００５０】
透明液体７６及び第２透明液体７９の種類や組み合わせは特に限定されないが、両者が混じり合って互いに拡散しないように、互いに混じり合わないものを採用することが望ましい。例えば、透明液体７６として屈折率の大きなマッチングオイルを採用し、第２透明液体７９としてマッチングオイルよりも屈折率が小さい水を採用することができる。これら透明液体７６及び第２透明液体７９は、容器７３の密閉空間７４内に充填されている。
【００５１】
このため、この流体プリズム７０では、透明液体７６及び第２透明液体７９の間に配設された第２透明板７８の揺動を安定化させることができる。また、流体プリズム７０を透過する光線束の屈折角を変化させる自由度を高めることができる。
【００５２】
また、第２透明液体７９として、透明液体７６と同程度の比重をもつ液体を充填することで、重力や慣性力などによる影響を低減させることが可能となる。
【００５３】
その他の構成及びそれによる作用効果は、前記参考形態１と同様である。
【００５４】
なお、前記実施形態１及び前記参考形態1において、第１電極と対をなす第２電極の数を増やしたり、第１電極及び第２電極の配置を変更したりすれば、前記静電力の方向を種々変化させることができるので、透明板が揺動する方向を種々変化させて、この流体プリズムを通過する光線束が屈折する方向を種々変えることができる。
【００５５】
また、前記実施形態１及び前記参考形態１において、第１透明板７１を前記光学機器に固定保持し、この第１透明板７１の上に表面張力により透明液体７６を配置するとともに、この透明液体７６の表面に前記揺動板７７を配設することもできる。このとき、前記上側の櫛歯型第２電極８２ａ、８２ｂ及び前記下側の櫛歯型第２電極８３ａ、８３ｂは、前記光学機器に固定保持させる。こうすれば、前記容器７３及び前記透明蓋部７５が不要であるため、構造の簡素化を図ることができる。
【００５６】
さらに、前記実施形態１及び前記参考形態１においては、流体として液体を採用する例について説明したが、第１透明板７１及び第２透明板７８間で密封性を確保すれば、外部雰囲気とは屈折率の異なる気体を流体の代わりに用いることもできる。なお、このとき第２透明板７８を何らかの手段で揺動可能に保持する必要がある。
【００５７】
加えて、前記実施形態１及び前記参考形態１においては、第１透明板７１及び第２透明板７８のうち、光線束が入射する側の第２透明板７８を揺動可能とする例について説明したが、光線束が出射する側の第１透明板７１を揺動可能にしたり、あるいは第１透明板７１及び第２透明板７８の双方を揺動可能にしたりすることもできる。
【図面の簡単な説明】
【００５８】
【図１】参考形態１に係る光学機器の全体構成を示し、（ａ）はズーム機構が短焦点側にある状態の断面概略図であり、（ｂ）はズーム機構が長焦点側にあり、かつ、流体プリズムによって光線束が屈折している状態を示す断面概略図である。
【図２】参考形態１に係り、電圧が印加されていない状態における流体プリズムを示し、（ａ）は流体プリズムの全体構成を示す断面概略図であり、（ｂ）は静電アクチュエータを構成する櫛歯形第１電極及び櫛歯形第２電極の構成だけを示す図２（ａ）のＡ方向矢視図である。
【図３】参考形態１に係り、電圧が印加された状態における流体プリズムを示し、（ａ）は流体プリズムの全体構成を示す断面概略図であり、（ｂ）は静電アクチュエータを構成する櫛歯形第１電極及び櫛歯形第２電極の構成だけを示す図３（ａ）のＡ方向矢視図である。
【図４】実施形態１に係り、電圧が印加されていない状態における流体プリズムの全体構成を示す断面概略図である。
【符号の説明】
【００５９】
７０…流体プリズム              ７１…第１透明板
７２…筒状部                    ７３…容器
７４…密閉空間                  ７５…透明蓋部
７６…透明液体（流体）          ７７…揺動板
７８…第２透明板                ７９…第２透明液体（第２流体）
８０…可変機構                  ８１ａ、８１ｂ…櫛歯形第１電極
８２ａ、８２ｂ、８３ａ、８３ｂ…櫛歯形第２電極
８４…第１電圧印加手段          ８５…第２電圧印加手段
【図１】
0004674861.tif 000002
【図２】
0004674861.tif 000003
【図３】
0004674861.tif 000004
【図４】
0004674861.tif 000005